(57)【要約】【課題】複数の半導体発光素子を時分割で間欠駆動する際に、各半導体発光素子の動作温度を正確に測定して、素子の劣化を生じない温度環境を維持する。【解決手段】ＬＥＤ21〜23と、ＬＥＤ21〜23の各発光期間の発光開始タイミングと発光終了から一定時間前のタイミングとを示す矩形波状のタイミング信号を発生する投影画像処理部15と、タイミング信号に基づき、ＬＥＤ21〜23を各発光期間に対応して時分割で循環的に駆動し、タイミング信号のオフタイミングに基づき、ＬＥＤ21〜23の各電圧値を測定し、その測定結果によりＬＥＤ21〜23の各駆動電流を調整する投影光処理部28とを備える。【選択図】図１
2011129842.tif 000002
【特許請求の範囲】
【請求項１】
半導体発光素子と、
上記半導体発光素子を所定の発光期間単位で時分割発光させる駆動手段と、
上記半導体発光素子の発光期間の発光開始タイミングと発光終了から一定時間前のタイミングとを示すタイミング信号を発生するタイミング信号発生手段と、
上記タイミング信号発生手段から与えられるタイミング信号の上記発光終了から一定時間前のタイミングに基づき、上記半導体発光素子の電圧値を測定する測定手段と、
上記測定手段で得た測定結果により上記駆動手段が駆動する半導体発光素子の駆動電力を調整する駆動制御手段と
を具備したことを特徴とする光源装置。
【請求項２】
上記タイミング信号発生手段は、上記測定手段での測定に要する時間に応じて、発光期間の発光終了から一定時間前のタイミングを設定したタイミング信号を発生することを特徴とする請求項１記載の光源装置。
【請求項３】
上記タイミング信号は矩形波状であって、
上記タイミング信号発生手段は、該矩形波状の立上り時に上記駆動手段による発光開始を指示するタイミング信号を発生し、該矩形波状の立下り時に上記測定手段による半導体発光素子の電圧値の測定を指示するタイミング信号を発生する
ことを特徴とする請求項１または２記載の光源装置。
【請求項４】
複数の半導体発光素子と、
上記複数の半導体発光素子を、それぞれ所定の発光期間単位で時分割発光させる駆動手段と、
上記複数の半導体発光素子の各発光期間の発光開始タイミングと発光終了から一定時間前のタイミングとを示すタイミング信号を発生するタイミング信号発生手段と、
上記タイミング信号発生手段から与えられるタイミング信号の上記発光終了から一定時間前のタイミングに基づき、上記複数の半導体発光素子の各電圧値を測定する測定手段と、
上記測定手段で得た測定結果により上記駆動手段が駆動する複数の半導体発光素子の各駆動電力を調整する駆動制御手段と、
画像信号を入力する入力手段と、
上記複数の半導体発光素子から出射する光を用い、上記入力手段で入力する画像信号に対応した光像を形成して投影する投影手段と
を具備したことを特徴とする投影装置。
【請求項５】
上記タイミング信号は矩形波状であって、
上記タイミング信号発生手段は、該矩形波状の立上り時に上記駆動手段による発光開始を指示するタイミング信号を発生し、該矩形波状の立下り時に上記測定手段による半導体発光素子の電圧値の測定を指示するタイミング信号を発生する
ことを特徴とする請求項４記載の投影装置。
【請求項６】
複数の半導体発光素子、画像信号を入力する入力部、及び上記複数の半導体発光素子から出射する光を用い、上記入力部で入力する画像信号に対応したカラーの光像を形成して投影する投影部を備えた投影装置での投影方法であって、
上記複数の半導体発光素子の各発光期間の発光開始タイミングと発光終了から一定時間前のタイミングとを示すタイミング信号を発生するタイミング信号発生工程と、
上記タイミング信号発生工程で発生するタイミング信号に基づき、上記複数の半導体発光素子を各発光期間に対応して時分割で循環的に駆動する駆動工程と、
上記タイミング信号発生工程で与えられるタイミング信号の上記発光終了から一定時間前のタイミングに基づき、上記複数の半導体発光素子の各電圧値を測定する測定工程と、
上記測定工程で得た測定結果により上記駆動工程で駆動する複数の半導体発光素子の各駆動電力を調整する駆動制御工程と
を有したことを特徴とする投影方法。
【発明の詳細な説明】
【技術分野】
【０００１】
本発明は、半導体発光素子を用いるプロジェクタ装置等に好適な光源装置、投影装置及び投影方法に関する。
【背景技術】
【０００２】
半導体発光素子の温度を精度良く推定するための技術として、半導体発光素子を流れる電流がゼロより大きい第１電力供給処理と、電流が第１電力供給処理よりも大きい第２電力供給処理とを含む複数の電力供給処理のそれぞれを繰返し実行し、少なくとも第１電力供給処理と第２電力供給処理とのそれぞれにおいて、電流値と電圧値との少なくとも一方を測定し、電流がゼロよりも大きい複数の動作状態のそれぞれにおける測定結果を利用して半導体発光素子の温度を推定するものが考えられている。（例えば、特許文献１）
【先行技術文献】
【特許文献】
【０００３】
【特許文献１】特開２００８−１２４３０３号公報
【発明の概要】
【発明が解決しようとする課題】
【０００４】
上記特許文献に記載された技術を含め、複数色の半導体光源を用いたプロジェクタでは、光源をパルス駆動する場合、点灯タイミング信号の終わりとなる立下り部分をトリガとして電圧を測定することで、半導体光源の素子温度を推定している。これは、パルス波形の最終部分である立下りのタイミングに合わせて測定することにより、半導体光源の素子温度が最も高い状態を測定するための処理である。測定の結果、素子の温度が規定より高いと推定される場合には、素子の駆動電流を下げるなどの制御を行なう。
【０００５】
しかるに、上記点灯タイミング信号の立下り部分をトリガとする場合、トリガがかかってから実際に電圧を測定するまでの間に、僅かながらのタイムラグを生じる。そのため、実際の測定時には半導体光源の素子温度がすでに低下し始めている状態となり、正確な温度を測定できないという不具合がある。
【０００６】
本発明は上記のような実情に鑑みてなされたもので、その目的とするところは、複数の半導体発光素子を時分割で間欠駆動する際に、各半導体発光素子の動作温度を正確に測定して、素子の劣化を生じない温度環境を維持することが可能な光源装置、投影装置及び投影方法を提供することにある。
【課題を解決するための手段】
【０００７】
請求項１記載の発明は、半導体発光素子と、上記半導体発光素子を所定の発光期間単位で時分割発光させる駆動手段と、上記半導体発光素子の発光期間の発光開始タイミングと発光終了から一定時間前のタイミングとを示すタイミング信号を発生するタイミング信号発生手段と、上記タイミング信号発生手段から与えられるタイミング信号の上記発光終了から一定時間前のタイミングに基づき、上記半導体発光素子の電圧値を測定する測定手段と、上記測定手段で得た測定結果により上記駆動手段が駆動する半導体発光素子の駆動電力を調整する駆動制御手段とを具備したことを特徴とする。
【０００８】
請求項２記載の発明は、上記請求項１記載の発明において、上記タイミング信号発生手段は、上記測定手段での測定に要する時間に応じて、発光期間の発光終了から一定時間前のタイミングを設定したタイミング信号を発生することを特徴とする。
【０００９】
請求項３記載の発明は、上記請求項１または２記載の発明において、上記タイミング信号は矩形波状であって、上記タイミング信号発生手段は、該矩形波状の立上り時に上記駆動手段による発光開始を指示するタイミング信号を発生し、該矩形波状の立下り時に上記測定手段による半導体発光素子の電圧値の測定を指示するタイミング信号を発生することを特徴とする。
【００１０】
請求項４記載の発明は、複数の半導体発光素子と、上記複数の半導体発光素子を、それぞれ所定の発光期間単位で時分割発光させる駆動手段と、上記複数の半導体発光素子の各発光期間の発光開始タイミングと発光終了から一定時間前のタイミングとを示すタイミング信号を発生するタイミング信号発生手段と、上記タイミング信号発生手段から与えられるタイミング信号の上記発光終了から一定時間前のタイミングに基づき、上記複数の半導体発光素子の各電圧値を測定する測定手段と、上記測定手段で得た測定結果により上記駆動手段が駆動する複数の半導体発光素子の各駆動電力を調整する駆動制御手段と、画像信号を入力する入力手段と、上記複数の半導体発光素子から出射する光を用い、上記入力手段で入力する画像信号に対応した光像を形成して投影する投影手段とを具備したことを特徴とする。
【００１１】
請求項５記載の発明は、上記請求項４記載の発明において、上記タイミング信号は矩形波状であって、上記タイミング信号発生手段は、該矩形波状の立上り時に上記駆動手段による発光開始を指示するタイミング信号を発生し、該矩形波状の立下り時に上記測定手段による半導体発光素子の電圧値の測定を指示するタイミング信号を発生することを特徴とする。
【００１２】
請求項６記載の発明は、複数の半導体発光素子、画像信号を入力する入力部、及び上記複数の半導体発光素子から出射する光を用い、上記入力部で入力する画像信号に対応したカラーの光像を形成して投影する投影部を備えた投影装置での投影方法であって、上記複数の半導体発光素子の各発光期間の発光開始タイミングと発光終了から一定時間前のタイミングとを示すタイミング信号を発生するタイミング信号発生工程と、上記タイミング信号発生工程で発生するタイミング信号に基づき、上記複数の半導体発光素子を各発光期間に対応して時分割で循環的に駆動する駆動工程と、上記タイミング信号発生工程で与えられるタイミング信号の上記発光終了から一定時間前のタイミングに基づき、上記複数の半導体発光素子の各電圧値を測定する測定工程と、上記測定工程で得た測定結果により上記駆動工程で駆動する複数の半導体発光素子の各駆動電力を調整する駆動制御工程とを有したことを特徴とする。
【発明の効果】
【００１３】
本発明によれば、複数の半導体発光素子を時分割で間欠駆動する際に、各半導体発光素子の動作温度を正確に測定して、素子の劣化を生じない温度環境を維持することが可能となる。
【図面の簡単な説明】
【００１４】
【図１】本発明の一実施形態に係るデータプロジェクタ装置全体の機能回路構成を示すブロック図。
【図２】同実施形態に係る動作の基本概念を説明する図。
【図３】同実施形態に係る動作の制御内容を示すタイミングチャート。
【発明を実施するための形態】
【００１５】
以下本発明をＤＬＰ（Ｄｉｇｉｔａｌ  Ｌｉｇｈｔ  Ｐｒｏｃｅｓｓｉｎｇ）（登録商標）方式のデータプロジェクタ装置に適用した場合の一実施形態について図面を参照して説明する。
【００１６】
図１は、本実施形態に係るデータプロジェクタ装置１０の概略機能構成を示すブロック図である。  
１１は入出力コネクタ部であり、例えばピンジャック（ＲＣＡ）タイプのビデオ入力端子、Ｄ−ｓｕｂ１５タイプのＲＧＢ入力端子、及びＵＳＢ（Ｕｎｉｖｅｒｓａｌ  Ｓｅｒｉａｌ  Ｂｕｓ）コネクタを含む。
【００１７】
入出力コネクタ部１１より入力される各種規格の画像信号は、入出力インタフェース（Ｉ／Ｆ）１２、システムバスＳＢを介し、一般にスケーラとも称される画像変換部１３に入力される。
【００１８】
画像変換部１３は、入力された画像信号を投影に適した所定のフォーマットの画像信号に統一し、表示用のバッファメモリであるビデオＲＡＭ１４に適宜書込んだ後に、書込んだ画像信号を読出して投影画像処理部１５へ送る。
【００１９】
この際、ＯＳＤ（Ｏｎ  Ｓｃｒｅｅｎ  Ｄｉｓｐｌａｙ）用の各種動作状態を示すシンボル等のデータも必要に応じてビデオＲＡＭ１４で画像信号に重畳加工され、加工後の画像信号が読出されて投影画像処理部１５へ送られる。
【００２０】
投影画像処理部１５は、送られてきた画像信号に応じて、所定のフォーマットに従ったフレームレート、例えば６０［フレーム／秒］と色成分の分割数、及び表示階調数を乗算した、より高速な時分割駆動により、空間的光変調素子であるマイクロミラー素子１６を表示駆動する。
【００２１】
このマイクロミラー素子１６は、アレイ状に配列された複数、例えばＸＧＡ（横１０２４画素×縦７６８画素）分の微小ミラーの各傾斜角度を個々に高速でオン／オフ動作して表示動作することで、その反射光により光像を形成する。
【００２２】
一方で、光源部１７から時分割でＲ，Ｇ，Ｂの原色光が循環的に出射される。この光源部１７からの原色光が、ミラー１８で全反射して上記マイクロミラー素子１６に照射される。
【００２３】
そして、マイクロミラー素子１６での反射光で光像が形成され、形成された光像が投影レンズユニット１９を介して、投影対象となる図示しないスクリーンに投影表示される。
【００２４】
光源部１７は、赤色（Ｒ）光を発する発光ダイオード（以下「Ｒ−ＬＥＤ」と称する）２１、緑色（Ｇ）光を発する発光ダイオード（以下「Ｇ−ＬＥＤ」と称する）２２、及び青色（Ｂ）光を発する発光ダイオード（以下「Ｂ−ＬＥＤ」と称する）２３を有する。
【００２５】
Ｒ−ＬＥＤ２１の発する赤色光は、ダイクロイックミラー２４を透過した後、インテグレータ２５で輝度分布が略均一な光束とされた後に上記ミラー１８へ送られる。
【００２６】
Ｇ−ＬＥＤ２２の発する緑色光は、ダイクロイックミラー２６で反射された後、上記ダイクロイックミラー２４でも反射され、上記インテグレータ２５を介して上記ミラー１８へ送られる。
【００２７】
Ｂ−ＬＥＤ２３の発する青色光は、ミラー２７で反射された後に上記ダイクロイックミラー２６を透過し、その後に上記ダイクロイックミラー２４で反射され、上記インテグレータ２５を介して上記ミラー１８へ送られる。  
上記ダイクロイックミラー２４は、赤色光を透過する一方で、緑色光及び青色光を反射する。上記ダイクロイックミラー２６は、緑色光を反射する一方で、青色光を透過する。
【００２８】
光源部１７の各ＬＥＤ２１〜２３の発光タイミングや駆動信号の波形等を投影光処理部２８が統括して制御する。投影光処理部２８は、投影画像処理部１５から与えられるＲ，Ｇ，Ｂの各タイミング信号と後述するＣＰＵ３１の制御に応じてＬＥＤ２１〜２３の発光動作を制御する。
【００２９】
また投影光処理部２８は、後述するＣＰＵ３１の制御に応じてＬＥＤ２１〜２３の駆動電圧を検出し、検出結果をＣＰＵ３１へ出力する。
【００３０】
上記各回路の動作すべてをＣＰＵ３１が制御する。このＣＰＵ３１は、メインメモリ３２及びプログラムメモリ３３と直接接続される。メインメモリ３２は、ＤＲＡＭで構成され、ＣＰＵ３１のワークメモリとして機能する。プログラムメモリ３３は、電気的書換可能な不揮発性メモリで構成され、ＣＰＵ３１が実行する動作プログラムや各種定型データ等を記憶する。ＣＰＵ３１は、上記メインメモリ３２及びプログラムメモリ３３を用いて、このデータプロジェクタ装置１０内の制御動作を実行する。
【００３１】
上記ＣＰＵ３１は、操作部３４からのキー操作信号に応じて各種投影動作を実行する。  
この操作部３４は、データプロジェクタ装置１０の本体に設けられるキー操作部と、このデータプロジェクタ装置１０専用の図示しないリモートコントローラからの赤外光を受光するレーザ受光部とを含む。操作部３４は、ユーザが本体のキー操作部またはリモートコントローラで操作したキーに基づくキー操作信号をＣＰＵ３１へ直接出力する。
【００３２】
上記ＣＰＵ３１はさらに、上記システムバスＳＢを介して音声処理部３５とも接続される。音声処理部３５は、ＰＣＭ音源等の音源回路を備える。音声処理部３５は、投影動作時に与えられる音声データをアナログ化し、スピーカ部３６を駆動して拡声させ、あるいは必要によりビープ音等を発生させる。
【００３３】
次に上記実施形態の動作について説明する。  
図２は、本実施形態に係る半導体発光素子の駆動制の基本概念を示す。
【００３４】
図２（Ａ）は、投影画像処理部１５が投影光処理部２８に与えるタイミング信号の基本波形を示す。ＬＥＤ（２１〜２３）を１フィールド期間発光させる際に投影画像処理部１５は、図示する如くフィールドの終了タイミングより時間Ｔｍ分だけ早くオフとなるタイミング信号を出力する。
【００３５】
上記時間Ｔｍは、投影光処理部２８がＬＥＤ（２１〜２３）での電圧を測定するのに要する時間、例えば数１０［μｓｅｃ］程度に応じて固定的に設定される。  
投影画像処理部１５からのタイミング信号を受けた投影光処理部２８は、そのタイミング信号の立上り部分をトリガとして、ＬＥＤ（２１〜２３）を一定の電流値で駆動開始する。
【００３６】
図２（Ｂ）は、投影光処理部２８の定電流駆動に伴うＬＥＤ（２１〜２３）での電圧の変化を示す。ＬＥＤとＬＤ（半導体レーザ）とを問わず半導体発光素子では、定電流で駆動した場合、素子温度の上昇に伴って電圧が低下する。
【００３７】
したがって、フィールド期間の当初は、それまでの間欠期間に放熱冷却していた状態から瞬間的に電圧値が上昇し、その後素子が蓄熱して徐々に温度が上昇するのに伴って、電圧が低下する。そのため、素子の温度を直接測定しなくとも、電圧値を測定することにより、素子の温度を推定することが可能となる。
【００３８】
上記投影画像処理部１５からのタイミング信号がフィールド期間の終了より早く、時間Ｔｍ分だけ先にオフとなる。投影光処理部２８では、このタイミング信号のオフに同期してＬＥＤ（２１〜２３）の電圧を測定し、測定を終了した時点、すなわちフィールド期間の終了と同時に当該ＬＥＤ（２１〜２３）に対する駆動を終了する。
【００３９】
投影光処理部２８はその測定結果に基づき、ＬＥＤ（２１〜２３）の当該フィールド期間における最高温度を推定して、次にＬＥＤ（２１〜２３）を駆動する際の電流値を制御する。
【００４０】
上述したように、投影画像処理部１５からのタイミング信号がオフするタイミングは、投影光処理部２８でのＬＥＤ（２１〜２３）の電圧測定に要する時間Ｔｍ分だけ、フィールド期間が終了するタイミングより早めるように設定されている。
【００４１】
そのため投影光処理部２８は、電圧測定開始のトリガとなるタイミング信号の立下り時から、電圧の測定の終了までに要する時間Ｔｍ経過後に、当該ＬＥＤ（２１〜２３）への電流駆動を終了することで、正確にフィールド期間に同期したＬＥＤ（２１〜２３）の発光駆動が実現できる。
【００４２】
図３は、画像１フレームを構成するＲ，Ｇ，Ｂの３フィールド期間と、各ＬＥＤ２１〜２３の駆動制御のタイミングとを示す。図３（Ａ）に示すように１枚の画像フレームが、Ｒフィールド、Ｇフィールド、及びＢフィールドの順序で構成されるものとする。
【００４３】
投影画像処理部１５は、同フィールド期間に対応して各原色画像をマイクロミラー素子１６で表示する一方で、投影光処理部２８に対して図３（Ｂ）〜図３（Ｄ）に示すようなＲタイミング信号、Ｇタイミング信号、及びＢタイミング信号を送出する。
【００４４】
これら各タイミング信号は、上記図２で説明した如く各フィールド期間の終了より早く、時間Ｔｍ分だけ先にオフとなる。
【００４５】
Ｒフィールドにおいては、投影光処理部２８が図３（Ｂ）に示すＲタイミング信号の立上りに同期してＲ−ＬＥＤ２１に定電流を流して発光を開始する。その後、Ｒタイミング信号がオフとなった時点で、Ｒタイミング信号のオフをトリガとして駆動しているＲ−ＬＥＤ２１の電圧を測定する。
【００４６】
図３（Ｈ）は、Ｒ−ＬＥＤ２１の駆動電圧の変化を示す。上記図２（Ｂ）でも示したように、発光での加熱に伴い、定電流であってもＲ−ＬＥＤ２１に印加される電圧はフィールド期間当初の高い状態から徐々に低下する。
【００４７】
Ｒタイミング信号がオフとなるタイミングｔ３１で投影光処理部２８がその電圧値を測定する。そして、タイミングｔ３１からＴｍ経過後の測定終了及びＲフィールド期間の終了に伴って、図３（Ｅ）に示すようにＲ−ＬＥＤ２１への駆動電流をオフすることで、図３（Ｈ）に示す駆動電圧も同時にオフとなる。
【００４８】
続くＧフィールド、Ｂフィールドにおいても同様であり、投影光処理部２８がＧ−ＬＥＤ２２、Ｂ−ＬＥＤ２３を発光駆動させる過程で、各フィールド期間の終了間際に駆動電圧を測定する。
【００４９】
投影光処理部２８で得た各測定結果はＣＰＵ３１に送られる。ＣＰＵ３１は、投影光処理部２８から送られてきた測定結果としての電圧値により当該ＬＥＤ（２１〜２３）のフィールド期間内での最高温度を推定する。ＣＰＵ３１は、その推定結果に基づいて次の画像フレームの各フィールドでＬＥＤ（２１〜２３）を駆動する際の電流値を決定して、その決定結果を投影光処理部２８へ送出する。
【００５０】
なお、上述したように投影光処理部２８が測定した結果をＣＰＵ３１に出力し、それを受けたＣＰＵ３１が測定結果から次のＬＥＤ（２１〜２３）の駆動電流を決定して投影光処理部２８に通達するのではなく、測定から次の電流値決定までの一連の制御処理を投影光処理部２８内で実行するものとしても良い。
【００５１】
例えば、測定結果である電圧値とその電圧値から推定されるＬＥＤの温度を考慮した駆動電流値とをルックアップテーブルの形で投影光処理部２８内に保持し、投影光処理部２８は測定結果から次の駆動電流値を該ルックアップテーブルを参照して読出し、次のフレームで読出した電流値での駆動を実行するものとしても良い。
【００５２】
以上詳記した如く本実施形態によれば、複数の半導体発光素子、例えばＲ，Ｇ，Ｂの各原色で発光するＬＥＤ２１〜２３を時分割で間欠駆動する際に、各素子の動作温度を正確に測定して、素子の劣化を生じない温度環境を維持することが可能となる。
【００５３】
特に上記実施形態では、ＬＥＤ２１〜２３の測定を開始するタイミングを、投影光処理部２８が測定に要する時間Ｔｍ分に応じてフィールド終了タイミングより早めるものとして設定したので、より正確にＬＥＤ２１〜２３の温度上昇を電圧値の形で測定することができる上、測定終了と同時に当該ＬＥＤ２１〜２３の駆動を終了し、即時次のフィールドの駆動に移行できる。
【００５４】
なお、本願発明は、上記実施形態のように、立下り時を発光フィールド期間よりも僅かに早めたＲ，Ｇ，Ｂのタイミング信号の立下がり時をトリガとして電圧測定を開始する構成とした。このように信号の立下りを発光フィールド期間より微小時間早めたタイミング信号の立下り時をトリガとしたことで、その微小時間後の発光フィールド期間の終了に伴った発光停止を指示する信号を容易に生成することができる。例えば、微小時間Ｔｍは固定値であるため、タイミング信号の立下りに基づいてＴｍ分遅らせるコンデンサ回路等を設置するだけでよい。
【００５５】
また、例えば、データプロジェクタ装置１０が１フレームにおけるＲ，Ｇ，Ｂ各発光フィールド期間の幅が異なる複数の投影モードを有しており、ある投影モードから異なる投影モードに投影モードが変更された場合、その投影モードに応じて発光フィールド期間も変更されることになる。しかし、発光フィールド期間より微小時間Ｔｍ前のタイミング信号の立下りを電圧測定のトリガとし、タイミング信号の立下りからＴｍ後を発光終了のトリガとする上記実施形態のように、電圧測定の指示をタイミング信号の立下りに基づいて出力することで、このように発光フィールド期間が変更されるような場合であっても正確な電圧測定が可能となる。
【００５６】
また、上記実施形態では、ＬＥＤ（２１〜２３）に印加する電流値を、一定の電流値波形で駆動することとしたが、これに限らず、例えば発熱による輝度減少を考慮に入れた電流値波形、すなわち、発光直後から徐々に電流値が右肩上がりになるような電流値波形をセットしてもよい。
【００５７】
なお、上記実施形態では光源の素子として３原色のＬＥＤ２１〜２３を用いる場合について説明したが、本発明はＬＥＤに限らず、ＬＤ（半導体レーザ）でも同様に適用可能であり、複数の半導体発光素子を用いる装置あるいは当該装置の駆動方法であれば、その素子の種類や構成個数等を制限するものではない。
【００５８】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【符号の説明】
【００５９】
１０…データプロジェクタ装置、１１…入出力コネクタ部、１２…入出力インタフェース（Ｉ／Ｆ）、１３…画像変換部、１４…ビデオＲＡＭ、１５…投影画像処理部、１６…マイクロミラー素子、１７…光源部、１８…ミラー、１９…投影レンズユニット、２１…Ｒ−ＬＥＤ、２２…Ｇ−ＬＥＤ、２３…Ｂ−ＬＥＤ、２４…ダイクロイックミラー、２５…インテグレータ、２６…ダイクロイックミラー、２７…ミラー、２８…投影光処理部、３１…ＣＰＵ、３２…メインメモリ、３３…プログラムメモリ、３４…操作部、３５…音声処理部、３６…スピーカ部、ＳＢ…システムバス。
【図１】
2011129842.tif 000003
【図２】
2011129842.tif 000004
【図３】
2011129842.tif 000005